【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
クランクケース換気用フィルタカートリッジであって、
（ａ）前記フィルタカートリッジは、対向する第１端部部材及び第２端部部材を有し、
（ｂ）前記フィルタカートリッジは、前記対向する第１端部部材及び第２端部部材の間に配置され、かつ開いたフィルタ内部を取り囲こむフィルタ媒体を有し、
（ｃ）前記第１端部部材は、開口部が貫通する上側部材と、シール部材を周囲に含みかつ非円形のシール周囲部を画定する非円形の外側周囲部とを有し、
（ｄ）前記第２端部部材は、前記開いたフィルタ内部の方向にかつ前記第１端部部材の方向に向かって突き出ている受容部突起物を有することを特徴とするクランクケース換気用フィルタカートリッジ。
【請求項２】
前記非円形の外側周囲部は、楕円形状であり、
前記非円形のシール周囲部は、楕円形状であることを特徴とする請求項１に記載のクランクケース換気用フィルタカートリッジ。
【請求項３】
前記第２端部部材は、閉じており、
前記受容部突起物は、閉じていて、前記フィルタ媒体の対向する端部間の距離の少なくとも５％の距離だけ、前記第２端部部材から前記第１端部部材の方向に突き出ていることを特徴とする請求項１又は請求項２に記載のクランクケース換気用フィルタカートリッジ。
【請求項４】
中央にある前記閉じている受容部突起物は、非円形の内部断面形状を持つことを特徴とする請求項３に記載のクランクケース換気用フィルタカートリッジ。
【請求項５】
前記中央にある閉じている受容部突起物は、Ｄ字形状の内部断面形状を持つことを特徴とする請求項４に記載のクランクケース換気用フィルタカートリッジ。
【請求項６】
前記中央にある閉じている受容部突起物は、弓状側部と、中央の頂点と２つの真直ぐな側部とを持つ対向する側部とを有する内部断面形状を持つことを特徴とする請求項４に記載のクランクケース換気用フィルタカートリッジ。
【請求項７】
（ａ）前記第１端部部材は、
中央にある前記開口部を取り囲む上側端部の表面と、
中央にある前記開口部を取り囲こむ連続する拡張部に前記上側端部の表面を超えて伸びている楕円状の周囲突起物と、
を含むことを特徴とする請求項１乃至請求項６のうちのいずれか１項に記載のクランクケース換気用フィルタカートリッジ。
【請求項８】
（ａ）前記第２端部部材は、複数の排液用くぼみ部を持ち、半径方向の周囲方向に間隔をあけて突き出て配置されている複数の突起物を有する外側周囲部を含み、
（ｉ）前記複数の排液用くぼみ部のそれぞれは、前記フィルタ媒体の底部端部と重なる部分を持つことを特徴とする請求項１乃至請求項７のうちのいずれか１項に記載のクランクケース換気用フィルタカートリッジ。
【請求項９】
（ａ）前記第２端部部材は、前記フィルタ媒体と前記第１端部部材とから離れる方向に伸びている非円形の突起物を含むことを特徴とする請求項１乃至請求項８のうちのいずれか１項に記載のクランクケース換気用フィルタカートリッジ。
【請求項１０】
（ａ）前記第２端部部材の前記非円形の突起物は、連続する閉じた外側周囲部を持つことを特徴とする請求項９に記載のクランクケース換気用フィルタカートリッジ。
【請求項１１】
（ａ）前記第１端部部材は、楕円の中心を画定するために、長軸と、前記長軸を９０°で二等分する短軸とを画定する楕円の周囲形状部を持ち、
（ｂ）前記フィルタ媒体は、開いているフィルタ内部を取り囲こみ、前記第１端部部材の楕円の周囲形状部の前記長軸及び前記短軸に対して直交する長手方向の媒体中心軸を画定することを特徴とする請求項１乃至請求項１０のうちのいずれか１項に記載のクランクケース換気用フィルタカートリッジ。
【請求項１２】
（ａ）ハウジングシール部材は、前記フィルタ媒体から完全に上方の位置で前記第１端部部材の周囲に配置されていることを特徴とする請求項１乃至請求項１１のうちのいずれか１項に記載のクランクケース換気用フィルタカートリッジ。
【請求項１３】
クランクケース換気用フィルタカートリッジであって、
（ａ）前記フィルタカートリッジは、対向する第１端部部材及び第２端部部材を有し、
（ｂ）前記フィルタカートリッジは、前記対向する第１端部部材及び第２端部部材の間に配置され、かつ開いたフィルタ内部を取り囲こむフィルタ媒体を有し、
（ｃ）前記第１端部部材は、開口部を持つ上側部材と、前記開口部の周囲のシール部とを有し、
（ｄ）前記第２端部部材は、前記フィルタ媒体と前記第１端部部材から離れる方向に突き出ているＤ字形状突起物を有することを特徴とするクランクケース換気用フィルタカートリッジ。
【請求項１４】
クランクケース換気用フィルタカートリッジであって、
（ａ）前記フィルタカートリッジは、対向する第１端部部材及び第２端部部材を有し、
（ｂ）前記フィルタカートリッジは、前記対向する第１端部部材及び第２端部部材の間に配置され、かつ開いたフィルタ内部を取り囲んでいるフィルタ媒体を有し、
（ｃ）前記第１端部部材は、開口部が貫通する上側部材と、その周囲のシール部とを有し、
（ｄ）前記第２端部部材は、前記フィルタ媒体の対向する端部間の距離の少なくとも５％の距離だけ前記第１端部部材の方向に突き出ている、閉じた受容部突起物を有し、
（ｉ）前記受容部突起物は、非円形の内側断面形状を有することを特徴とするクランクケース換気用フィルタカートリッジ。
【請求項１５】
クランクケース換気用フィルタカートリッジであって、
（ａ）前記フィルタカートリッジは、第１端部部材及び第２端部部材と、前記第１端部部材及び第２端部部材の間に伸びている浸透性の支持体管とを有する媒体支持体を有し、
（ｉ）前記第１端部部材及び第２端部部材と前記支持体管とは、単一に一体成形されたピースからなり、
（ｂ）前記フィルタカートリッジは、前記支持体管の周囲でかつ前記第１端部部材及び第２端部部材の間に配置されたフィルタ媒体を有し、
（ｃ）前記フィルタカートリッジは、前記フィルタ媒体から完全に上部の位置で前記第１端部部材の周囲に配置されたハウジングシール部材を有することを特徴とするクランクケース換気用フィルタカートリッジ。
【請求項１６】
クランクケース換気用フィルタアセンブリであって、
（ａ）ガス流入口部と、ガス流出口部と、低部に排液部とを有するハウジングと、
（ｂ）フィルタ内部に操作可能でかつ取り外し可能に配置された請求項１乃至請求項１５のうちの少なくとも１項に記載のフィルタカートリッジと、
を有することを特徴とするクランクケース換気用フィルタアセンブリ。
【請求項１７】
クランクケース換気用フィルタアセンブリであって、
（ａ）前記フィルタアセンブリは、ガス流入口構成物と、ガス流出口構成物と、ハウジングの中央本体部と、ハウジングの頂部と、ハウジングの底部カバーとを有するハウジングを有し、前記ハウジングは、
（i）前記ハウジングの中央本体部が、内部と、対向する第１開口部端部及び第２開口部端部を画定する側壁と、を含み、
（Ａ）前記ハウジングの中央本体部は、フィルタカートリッジをシールする表面を画定し、
（ii）前記ハウジングの頂部が、前記ハウジングの中央本体部の第１開口部端部の上に取り外し可能に固定されており、
（iii）前記ハウジングの底部カバーが、前記ハウジングの中央本体部の第２開口部端部の上に取り外し可能に固定されおり、
（Ａ）前記ハウジングの底部カバーが、液体排出部を含み、
（ｂ）前記フィルタアセンブリは、前記ハウジング中に取り外し可能に配置されたフィルタカートリッジを有し、前記フィルタカートリッジは、
（i）前記ハウジングの中央本体部の前記フィルタカートリッジをシールする表面に対して、取り外し可能にシールされるハウジングシールを含み、
（ii）前記ハウジングの頂部が、前記ハウジングの中央本体部から分離されるとき、前記ハウジングの中央本体部の前記第１開口部端部を通るフィルタカートリッジの通路によって、前記ハウジングの残りの部分から取り外し可能となるような大きさに作られており、
（iii）前記ハウジングの底部カバーが、前記ハウジングの中央本体部から分離されるとき、前記ハウジングの中央本体部の前記第２開口部端部を通るフィルタカートリッジの通路によって、前記ハウジングの残りの部分から取り外し可能となるような大きさに作られていることを特徴とするクランクケース換気用フィルタアセンブリ。
【請求項１８】
クランクケース換気用フィルタアセンブリであって、
（ａ）前記フィルタアセンブリは、ガス流入口構成物と、ガス流出口構成物と、ハウジングの中央本体部と、ハウジングの頂部と、ハウジングの底部とを有するハウジングを有し、前記ハウジングは、
（i）前記ハウジングの中央本体部が、内部と、対向する第１開口端部及び第２開口端部を画定する側壁と、を含み、
（Ａ）前記ハウジングの中央本体部は、フィルタカートリッジをシールする表面を画定し、
（ii）前記ハウジングの頂部は、前記ハウジングの中央本体部の第１開口部端部の上に取り外し可能に固定されており、
（iii）前記ハウジングの底部は、前記ハウジングの中央本体部の第２開口部端部の上に取り外し可能に固定されおり、
（Ａ）前記ハウジングの底部は、液体排出部を含み、
（ｂ）前記フィルタアセンブリは、前記ハウジング中に取り外し可能に配置されたフィルタカートリッジを有し、前記フィルタカートリッジは、
（i）前記ハウジング本体の前記フィルタカートリッジをシールする表面に対して取り外し可能にシールされるハウジングシール部を含み、
（ii）フィルタカートリッジとハウジングの底部を回転して割り出す配置の第１部材を含み、
（ｃ）前記ハウジングの底部は、フィルタカートリッジとハウジングの底部を回転して割り出す配置の第２部材を含み、
（i）フィルタカートリッジとハウジングの底部を回転して割り出す配置の前記第１部材と前記第２部材とは、前記ハウジングの底部と前記フィルタカートリッジとが、相対的に１つの回転位置にだけ操作可能に係合するように構成された、フィルタカートリッジとハウジングの底部を回転して割り出す配置を形成していることを特徴とするクランクケース換気用フィルタアセンブリ。
【請求項１９】
クランクケース換気用フィルタアセンブリであって、
（ａ）前記フィルタアセンブリは、ハウジング本体と、ハウジングの頂部と、ハウジングの底部とを有するハウジングを有し、前記ハウジングは、
（i）前記ハウジング本体が、内部を有し、かつフィルタカートリッジをシールする表面を画定し、
（ii）前記ハウジングの底部が、液体排出の開口部を含み、
（iii）前記ハウジングの底部が、前記ハウジングの頂部に向かって突き出ている、フィルタカートリッジのガイド突起物を含み、
（Ａ）前記ガイド突起物は、非円形の周囲形状の断面を画定し、
（ｂ）前記フィルタアセンブリは、前記ハウジング中に操作可能に収容されたフィルタカートリッジを有し、前記フィルタカートリッジは、
（i）フィルタカートリッジの内部に突き出ている、閉じた受容部を有する下側端部部材を含み、
（ii）前記ガイド突起物は、前記閉じた受容部の中央方向に伸びており、
（iii）前記フィルタカートリッジをシールする表面に取り外し可能にシールされたシール部材を含むことを特徴とするクランクケース換気用フィルタアセンブリ。
【請求項２０】
クランクケース換気用フィルタアセンブリをアセンブルする方法であって、
（ａ）前記方法は、ガス流入口構成物及びガス流出口構成物を有するハウジング本体と、１つの可能な回転位置にだけ前記ハウジング本体に対する回転が割り出だされる、取り外し可能なハウジングの頂部と、２つ以下の回転方向にだけ前記ハウジング本体に対する回転が割り出される、取り外し可能なハウジングの底部とを有するハウジングを提供する工程を有し、
（ｉ）前記ハウジングの底部は、そこを通過する液体排出の開口部を有し、
（ｂ）前記方法は、前記ハウジング本体から前記ハウジングの頂部及び前記ハウジングの底部のうちから選択されたものを取り外す工程を有し、
（ｃ）前記方法は、前記ハウジング本体に前記クランクケース換気用フィルタカートリッジを挿入する工程を有し、
（ｄ）前記方法は、前記ハウジング本体に前記ハウジングの頂部及び前記ハウジングの底部のうちの選択されたものを取り付ける工程を有することを特徴とする方法。